(57)【要約】【課題】商品補充の際に商品が脱落しにくい商品陳列具を提供する。【解決手段】商品Ａを吊り下げる棒状部材２と、該棒状部材２が取付けられ、商品陳列什器に係着する係着部４が備えられた受け部材３と、を有する商品陳列具１であって、受け部材３は、棒状部材２を下方より支持する支持部３１ａと、該支持部３１ａよりも後方に配置され、棒状部材２の後方端部を上方より係止する係止部３２ａと、を備えており、棒状部材２は、棒状部材２の長手方向に対して鈍角を成すように上向きに曲げられ係止部３２ａに係止される後方屈曲部２２と、該後方屈曲部２２から延設された後方延設部２３と、を有する。【選択図】図１
2020031813.tif 000002
【特許請求の範囲】
【請求項１】
商品を吊り下げる棒状部材と、該棒状部材が取付けられ、商品陳列什器に係着する係着部が備えられた受け部材と、を有する商品陳列具であって、
前記受け部材は、前記棒状部材を下方より支持する支持部と、該支持部よりも後方に配置され、前記棒状部材の後方端部を上方より係止する係止部と、を備えており、
前記棒状部材は、前記棒状部材の長手方向に対して鈍角を成すように上向きに曲げられ前記係止部に係止される後方屈曲部と、該後方屈曲部から延設された後方延設部と、を有することを特徴とする商品陳列具。
【請求項２】
前記棒状部材は、その前方部において上向きに曲げられた前方屈曲部と、該前方屈曲部から延設した前方延設部と、を有することを特徴とする請求項１に記載の商品陳列具。
【請求項３】
前記棒状部材は、長手方向に亘って同径の丸棒であることを特徴とする請求項１または請求項２に記載の商品陳列具。
【請求項４】
前記受け部材において、前記支持部は支持板体に形成された上方に開放する切欠であり、前記係止部は係止板体に形成された下方に開放する切欠であることを特徴とする請求項１ないし３のいずれかに記載の商品陳列具。
【請求項５】
前記係止部には、前記係止板体に形成された切欠を挟むように左右一対の回動規制板が備えられていることを特徴とする請求項４に記載の商品陳列具。
【請求項６】
前記受け部材には、前記係止部より後方に配置され、前記棒状部材の後方への移動を規制する規制板が備えられていることを特徴とする請求項１ないし５のいずれかに記載の商品陳列具。
【発明の詳細な説明】
【技術分野】
【０００１】
本発明は、商品陳列什器において商品を吊り下げて陳列する、商品陳列具に関する。
【背景技術】
【０００２】
スーパーやコンビニエンスストア等においては、商品を商品陳列什器に種々の形態で陳列して提供しており、商品を吊下げる陳列の形態も一般的である。例えば商品陳列什器に取付けられた商品陳列具の商品吊下げ棒（棒状部材）に商品（物品単体または物品の入った包装袋）に形成された孔を挿入することで商品を吊下げる陳列の形態も一般的である。このような商品陳列具にあっては、陳列された商品が、購入されて減ると、前方より新しい商品を補充している。また食品など、商品によっては古い物を先に売りたい場合、一度古い商品を一括して手前に取り出し、新しい商品を奥へ補充した後、再び古い商品を一括して手前に入れ直していた。
【０００３】
前述の補充作業を簡便とするべく、例えば特許文献１に示される商品陳列具は、商品吊下げ棒を受け具（受け部材）に対して脱着可能として、商品吊下げ棒を受け具から取外した状態で、後方から新しい商品を補充することができるようになっている。詳しくは、商品吊下げ棒は後端手前に下方に開放する切り溝が形成されている。受け具は、前方に切り欠きが形成された係合片と後方に円状の挿入孔が形成された支持片を有し、前後の二点支持により商品吊下げ棒を支持するものである。商品吊下げ棒の切り溝には受け具の係合片の切り欠きを下方から挿入されて係合され、商品吊下げ棒の後端は受け具の円状の挿入孔に挿入されて商品吊下げ棒の後端側の上方移動が規制されている。また、商品吊下げ棒の後端側は直線状を成しており、商品吊下げ棒を円状の挿入孔に脱着し易くなっている。
【先行技術文献】
【特許文献】
【０００４】
【特許文献１】実開昭６１−１８０５９号公報（第３頁、第１図）
【０００５】
しかしながら、特許文献１の商品陳列具は商品吊下げ棒は後端側が直線状であることから、商品補充の際には商品を吊り下げたまま商品吊下げ棒を持ち上げ、手前に引くことで受け具から商品吊下げ棒を取外すと、商品吊下げ棒は後端側が下方となるように傾いた状態となって、商品が後方へ滑り落ちやすくなっていた。また、商品吊下げ棒を把持する手とは異なる方の手で商品吊下げ棒の後端や吊下げられた商品を把持すれば商品は滑り落ちないものの、両手を使う必要があり商品補充作業の煩雑であった。また、新しい商品を補充して商品吊下げ棒を取付ける場合にも、同様に商品が商品吊下げ棒から後方へ滑り落ちる問題があった。
【発明の概要】
【発明が解決しようとする課題】
【０００６】
本発明は、このような問題点に着目してなされたもので、商品補充の際に商品が脱落しにくい商品陳列具を提供することを目的とする。
【課題を解決するための手段】
【０００７】
前記課題を解決するために、本発明の商品陳列具は、
商品を吊り下げる棒状部材と、該棒状部材が取付けられ、商品陳列什器に係着する係着部が備えられた受け部材と、を有する商品陳列具であって、
前記受け部材は、前記棒状部材を下方より支持する支持部と、該支持部よりも後方に配置され、前記棒状部材の後方端部を上方より係止する係止部と、を備えており、
前記棒状部材は、前記棒状部材の長手方向に対して鈍角を成すように上向きに曲げられ前記係止部に係止される後方屈曲部と、該後方屈曲部から延設された後方延設部と、を有することを特徴としている。
この特徴によれば、上向きに曲げられた後方屈曲部から延設された後方延設部により、商品補充の際に後方屈曲部より前方に吊られた商品が、後方延設部によって移動を規制されるため、商品が後方へ滑り落ちるのを防ぐことができ、片手での棒状部材の脱着も可能となる。更に、棒状部材の後方屈曲部が係止部に係止されるため、棒状部材の前後の抜け止めとして利用できる。
【０００８】
前記棒状部材は、その前方部において上向きに曲げられた前方屈曲部と、該前方屈曲部から延設した前方延設部と、を有することを特徴としている。
この特徴によれば、一本の棒状の部材だけで前方及び後方への商品の滑り落ちを容易に防止できる。
【０００９】
前記棒状部材は、長手方向に亘って同径の丸棒であることを特徴としている。
この特徴によれば、棒状部材の後方から商品を補充し易く、また前方から商品を取り出し易い。
【００１０】
前記受け部材において、前記支持部は支持板体に形成された上方に開放する切欠であり、前記係止部は係止板体に形成された下方に開放する切欠であることを特徴としている。
この特徴によれば、棒状部材の挿入または取出し角度を大きくすることができ、棒状部材の出し入れがし易い。
【００１１】
前記係止部には、前記係止板体に形成された切欠を挟むように左右一対の回動規制板が備えられていることを特徴としている。
この特徴によれば、左右一対の回動規制板が棒状部材の後方延設部の左右の動きを規制するため、棒状部材が回動しないようになっている。
【００１２】
前記受け部材には、前記係止部より後方に配置され、前記棒状部材の後方への移動を規制する規制板が備えられていることを特徴としている。
この特徴によれば、棒状部材を受け部材に取付ける際に棒状部材の過度な後方への移動を防止できる。
【図面の簡単な説明】
【００１３】
【図１】本発明の実施例１における商品陳列什器に係着され商品が陳列された状態の商品陳列具を示す斜視図である。
【図２】実施例１における受け部材の一部を切り欠いて示す商品陳列具の分解斜視図である。
【図３】（ａ）〜（ｄ）は、棒状部材の受け部材への取付けの過程を示した、左側面視断面図である。
【図４】（ａ）〜（ｃ）は、新しい商品の補充手順について示した、左側面視断面図である。
【図５】本発明の実施例２における商品陳列具を示す斜視図である。
【図６】実施例２における受け部材の左側面視断面図である。
【発明を実施するための形態】
【００１４】
本発明に係る商品陳列具を実施するための形態を実施例に基づいて以下に説明する。
【実施例１】
【００１５】
実施例１に係る商品陳列具につき、図１から図４を参照して説明する。以下、図１の紙面右下側及び図３の紙面右側を商品陳列具の正面側（前方側、手前側）とし、その前方側から見たときの上下左右方向を基準として説明する。
【００１６】
図１に示されるように、商品陳列具１は商品陳列什器（レール１０の一部以外は図示せず）のレール１０に取付けられ、棒状部材２に商品Ａを吊下げて陳列している。また、商品陳列具１は金属製であり、棒状部材２と、受け部材３と、が備えられている。
【００１７】
図２に示されるように、棒状部材２は長手方向に亘って同径な丸棒の両端部を一方向に曲げた形状を成している。棒状部材２には、長手方向に真っ直ぐに延伸する直線部２１と、棒状部材２の後方部において直線部２１に対して１５０度を成すように上向きに曲げられた後方屈曲部２２と、該後方屈曲部２２から直線状に斜め上方に向けて延びる後方延設部２３と、棒状部材２の前方部において上向きに曲げられた前方屈曲部２４と、該前方屈曲部２４から直線状に斜め上方に延びる前方延設部２５と、が備えられている。尚、棒状部材２の手前側の一端は、事故防止のため角が丸く加工されている。
【００１８】
また、図２に示されるように、受け部材３は、左右一対の側板３５，３５と、前方の支持板３１と、後方の規制板３３と、によって平面視略ロ字状を成す基枠体３０と、支持板３１（支持板体）と規制板３３の間に略平行に配置される係止板３２（係止板体）と、側板３５，３５よりも後方に配置される係着部４によって主に構成される。
【００１９】
支持板３１の上端側の左右略中央において略Ｕ字状に切欠かれた支持凹部３１ａ（切欠）が形成されており、係止板３２の下端側の左右略中央において略等脚台形状に切欠かれた係止凹部３２ａ（切欠）が形成されている。支持凹部３１ａ及び係止凹部３２ａの最も狭い箇所の幅は、棒状部材２の径よりも僅かに広い。
【００２０】
係止板３２の後面３２ｂには、係止凹部３２ａを挟んで、後面３２ｂに対して略垂直に延出した左右一対の回動規制板３４，３４が備えられている。左右一対の回動規制板３４，３４の離間距離は、棒状部材２の径よりも僅かに長い。
【００２１】
また、係着部４は、受け部材３の後方に備えられ側面視下向き略コ字状を成しており、係着部４がレール１０に係着されることで、商品陳列具１はレール１０に取付けられる。尚、本実施例では係着部４の一部（手前の垂直な板状部材）が係着と規制板３３としての機能を兼ねている。
【００２２】
図３を参照して、棒状部材２の受け部材３への取付けについて説明する。まず、棒状部材２の前方延設部２５及び後方延設部２３を略上方に向けた上で、棒状部材２の後端２６側を下げてやや下方に傾けた状態で、後端２６を支持板３１の支持凹部３１ａに通過させる（図３（ａ）参照）。
【００２３】
次いで、棒状部材２の後端２６を係止凹部３２ａに通過させる（図３（ｂ）参照）。例えば、支持凹部３１ａの下端に直線部２１を上方から当接させた状態で、棒状部材２を後方に押し込む。このとき、直線部２１は支持凹部３１ａにより左右略中央にガイドされる。また、棒状部材２をさらに後方に押し込むことで後端２６は係止凹部３２ａを通過する。
【００２４】
更に棒状部材２の後端２６を規制板３３に当接して後方への移動が規制されるまで押し込んだところで（図３（ｃ）参照）、棒状部材２の手前側を下方に下げる。この動作により、支持板３１の支持凹部３１ａが支点となって、棒状部材２の後端２６は規制板３３に沿って上方に持ち上げられ、棒状部材２の後方屈曲部２２が係止板３２の係止凹部３２ａに当たることで後端２６は係止凹部３２ａに係止される（図３（ｄ）参照）。この動作時に、後端２６が左右方向にずれていても、後端２６は係止板３２の略等脚台形状を成す係止凹部３２ａによって案内されながら、後端２６の左右のずれが修正される。このように、棒状部材２において、支持凹部３１ａとの当接点を支点、係止凹部３２ａとの当接点を作用点とした二点支持により、棒状部材２は受け部材３に取付けられる。
【００２５】
尚、図３（ｃ），（ｄ）を参照して、係止板３２の係止凹部３２ａが下方に開放した切欠であることから、棒状部材２を係止凹部３２ａより下方の空間に移動させることができるため、棒状部材２の挿入または取出し角度を大きくすることができ、棒状部材２の出し入れがし易い。更に尚、左右一対の回動規制板３４，３４が係止凹部３２ａを挟んで配置されていることから、左右一対の回動規制板３４，３４が棒状部材２の後方延設部２３の左右の動きを規制するため、棒状部材２が回動しないようになっている。
【００２６】
図４を参照して、商品陳列具１における新しい商品Ａ’の補充手順について説明する。まず、棒状部材２に古い商品Ａが吊下げられた状態において、棒状部材２の手前側を上方に持ち上げると、後方屈曲部２２の係止凹部３２ａとの係止状態が解除される。このとき、棒状部材２の傾きにより古い商品Ａが後方へ滑ることがあっても、受け部材３の支持板３１によって古い商品Ａの滑りが規制される（図４（ａ）参照）。
【００２７】
次いで棒状部材２を手前側に引くと、傾いたままの棒状部材２に吊下げられた古い商品Ａは、後端２６側に近づくように滑り出しても、上向きに延設した後方延設部２３によりそれ以上滑らず、古い商品Ａの脱落を防止できる（図４（ｂ）参照）。その後、棒状部材２を略水平に保ちながら、古い商品Ａを手前側に移動させ、新しい商品Ａ’を後方側から補充する（図４（ｃ）参照）。そして、新しい商品Ａ’が補充された棒状部材２は、前述した手順と逆の手順により受け部材３に取付けることができる。
【００２８】
尚、図４（ｂ）を参照して、棒状部材２を手前側に引くと説明したが、これに限らず上方に移動させてもよい。
【００２９】
以上説明したように、棒状部材２は、その後方部において上向きに曲げられた後方屈曲部２２から延設した後方延設部２３により、棒状部材２を傾けて後方に滑る商品が後方延設部２３によって規制されるため、商品補充の際に商品が後方へ滑り落ちるのを防ぐことができ、片手での棒状部材の脱着も可能となる。更に、棒状部材２の後方屈曲部２２が係止板３２の係止凹部３２ａに係止されるため、棒状部材２の前後の抜け止めとして利用できる。
【００３０】
また、棒状部材２の後方屈曲部２２は、棒状部材２の長手方向に対して１５０度を成すように上向きに曲げられていることから、棒状部材２を係止板３２の係止凹部３２ａに通す際の後方延設部２３の上下の振れ幅を抑えることができるため、棒状部材２の挿入または取出し角度が小さく済み、商品陳列什器の上下方向に商品陳列具を多く並べて配置できる。
【００３１】
また、棒状部材２の前方屈曲部２４と後方屈曲部２２とが上向きに曲げられているため、一本の棒状の部材だけで前方及び後方の商品Ａ（Ａ’）の滑り落ちを容易に防止できる。
【００３２】
また、棒状部材２の前方屈曲部２４と後方屈曲部２２とが正面視において同じ方向に曲げられているため、棒状部材２を受け部材３に取付ける際、前方屈曲部２４の周方向の向きを見ることで、後方屈曲部２２の周方向の向きを調整できる。
【００３３】
また、棒状部材２は後方屈曲部２２と、前方屈曲部２４と、計２箇所で曲げられていることから、作業工程が少なく加工し易い。
【００３４】
また、棒状部材２は長手方向に亘って同径の丸棒であることから、棒状部材２の後方から新しい商品Ａ’を補充し易く、また前方から商品Ａ（Ａ’）を取り出し易い。
【００３５】
また、受け部材３において、支持板３１の上端側において略Ｕ字状に切欠かれた支持凹部３１ａが形成され、係止板３２の下端側において略等脚台形状に切欠かれた係止凹部３２ａが形成されていることから、棒状部材２の挿入または取出し角度を大きくすることができ、棒状部材２の出し入れがし易い。
【００３６】
また、受け部材３には、棒状部材２の後方への移動を規制する規制板３３が備えられているため、棒状部材２を受け部材３に取付ける際に棒状部材２の過度な後方への移動を防止できる。
【実施例２】
【００３７】
実施例２に係る商品陳列具につき、図５及び図６を参照して説明する。なお、前記実施例に示される構成部分と同一のものについては、同一符号を付して重複する説明を省略する。
【００３８】
図５に示されるように、商品陳列具１０１は、樹脂の注型成形加工によって一体的に作られた受け部材１０３と、金属製の棒状部材２と、によって主に構成される。受け部材１０３は、その前方において略箱状を成す箱部１３０と、その後方において側面視下向き略コ字状を成す係着部１０４と、によって主に構成されている。棒状部材２は、受け部材１０３の正面に形成された後述の鉤状穴１０３ａの開口部１０３ｂに通すことで、受け部材１０３に取付けられる。
【００３９】
図６に示されるように、鉤状穴１０３ａは左側面視において、開口部１０３ｂ側の下面に位置する支持部１３１と、開口部１０３ｂ側から後方部にかけてスロープ状に降下するガイド天井板１３６及びガイド床板１３７と、ガイド天井板１３６の降下終端部に位置する係止部１３２と、ガイド天井板１３６及びガイド床板１３７の降下終端部よりも後方に位置するとともに係止部１３２の後端に連続し上方に凹む凹所の底部を区画する後方天井板１３８及び上下方向に延在する規制板１３３と、によって右側に倒立した逆レ字形状となるように主に区画・形成されている。
【００４０】
棒状部材２を取付ける際、後方屈曲部２２及び後方延設部２３を略上方に向けながら鉤状穴１０３ａの開口部１０３ｂに通し、ガイド天井板１３６及びガイド床板１３７に案内されながら最後部にある規制板１３３に当接し後方への移動が規制される。その後、棒状部材２の前端を下方に移動させることで、棒状部材２の後端２６は上方に持ち上げられ、最終的に棒状部材２が支持部１３１によって下方より支持され、後方屈曲部２２が係止部１３２によって上方より係止される。このようにして、棒状部材２は受け部材１０３に取付けられる。尚、鉤状穴１０３ａの左右幅は、棒状部材２の径より僅かに長く、開口部１０３ｂから最後部に亘り均一であることから、受け部材１０３において図示しない左右の樹脂の壁が棒状部材２の後方延設部２３の左右の動きを規制するため、棒状部材２が回動しないようになっている。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、実施例では、棒状部材２は長手方向に亘って同径の丸棒であると説明したが、これに限らず長手方向に亘って同径でなくてよいし、正面視の断面が多角形であってもよい。
【００４３】
また、棒状部材２の後方屈曲部２２は、直線部２１に対して１５０度を成すように上向きに曲げられていると説明したが、これに限らず、任意の角度好ましくは１２０〜１７０度を成すように曲げられていてもよく、鈍角を成すのがよい。
【００４４】
また、棒状部材２は後方屈曲部２２と、前方屈曲部２４と、計２箇所で曲げられていると説明したが、これに限らず各々複数箇所で任意の方向に曲げられていてもよく、また曲げられていなくてもよい。計２箇所で曲げられていると直線部２１を長くでき、商品を多く吊下げできることから好ましい。
【００４５】
また、棒状部材２の手前側の一端は、事故防止のため角が丸く加工されていると説明したが、これに限らず、例えば棒状部材２の手前側の一端をゴム部材で覆って保護してもよい。
【００４６】
また、受け部材３の支持板３１には、略Ｕ字状に切欠かれた支持凹部３１ａが形成されていると説明したが、これに限らず、例えば円形の孔であってもよい。
【００４７】
また、受け部材３の係止板３２には、略等脚台形状に切欠かれた係止凹部３２ａが形成されていると説明したが、これに限らず、例えば円形の孔であってもよい。
【００４８】
また、係着部４は、その一部（手前の垂直な板状部材）が係着と規制板３３としての機能を兼ねていると説明したが、これに限らず、規制板が係着部から独立した部材であり、これら規制板と係着部とを溶接固定などにより一体化させてもよい。
【００４９】
また、係着部４は側面視下向き略コ字状を成し、レール１０に対して係着されていると説明したが、これに限らず、商品陳列什器の形態に合わせて適当な形状の係着部により取付けられていてもよい。
【００５０】
また、係着部は受け部材の後面において一体となっていると説明したが、これに限らず、例えば受け部材の下面において一体となっていてもよい。
【００５１】
また、受け部材１０３の上面において、例えばプライスカードを取付ける部材を装着してもよい。
【００５２】
また、受け部材１０３は樹脂の注型成形加工により製作されると説明したが、これに限らず、例えば複数の木製パーツの組立てや接着等によって製作される物でもよい。
【符号の説明】
【００５３】
１            商品陳列具
２            棒状部材
３            受け部材
４            係着部
２２          後方屈曲部
２３          後方延設部
２４          前方屈曲部
２５          前方延設部
２６          後端
３１          支持板（支持板体）
３１ａ        支持凹部（切欠）
３２          係止板（係止板体）
３２ａ        係止凹部（切欠）
３３          規制板
１０１        商品陳列具
１０３        受け部材
１０４        係着部
１３１        支持部
１３２        係止部
１３３        規制板
Ａ，Ａ’      商品
【図１】
2020031813.tif 000003
【図２】
2020031813.tif 000004
【図３】
2020031813.tif 000005
【図４】
2020031813.tif 000006
【図５】
2020031813.tif 000007
【図６】
2020031813.tif 000008